(57)【要約】【課題】デジタル放送信号を記録する際に、記録ミスの発生を効果的に回避することができるデジタル放送記録装置を提供することを目的とする。【解決手段】デジタル放送記録システム１は、チューナーモジュール２とパソコン３を備えている。パソコン３は、デジタル方式の放送電波に含まれる信号を記録するハードディスク２８と、ハードディスク２８の空き容量を検出する空き容量検出部３３と、所定の番組をハイビジョン方式の信号で記録するために必要なデータ容量を算出するデータ容量算出部３４と、ハードディスク２８に記録される信号として、ハイビジョン方式の信号、およびワンセグ方式の信号のいずれか一方を選択する信号選択部３５を備えている。また、パソコン３は、空き容量とデータ容量を比較するとともに、比較の結果に基づいて、信号選択部３５に、ハイビジョン方式の信号、ワンセグ方式の信号のいずれか一方を選択させるＣＰＵ４０を備えている。【選択図】図１
2008300993.tif 000002
【特許請求の範囲】
【請求項１】
デジタル方式の放送電波を受信し、該放送電波に含まれる信号を記録部に記録するデジタル放送記録方法であって、
前記記録部の空き容量を検出するステップと、
所定の番組を第１の帯域幅を有する第１の信号により前記記録部に記録するために必要なデータ容量を算出するステップと、
前記空き容量と前記データ容量を比較するステップと、
前記比較の結果に基づいて、前記記録部に記録される信号として前記第１の信号および前記第１の帯域幅より狭い第２の帯域幅を有する第２の信号のいずれか一方を選択して記録するステップと
を備えることを特徴とするデジタル放送記録方法。
【請求項２】
デジタル方式の放送電波を受信し、該放送電波に含まれる信号を記録部に記録するデジタル放送記録方法であって、
前記記録部の空き容量を検出するステップと、
検出された前記空き容量と予め設定された前記空き容量の閾値を比較するステップと、
前記比較の結果に基づいて、前記記録部に記録される信号として第１の帯域幅を有する第１の信号および前記第１の帯域幅より狭い第２の帯域幅を有する第２の信号のいずれか一方を選択して記録するステップと
を備えることを特徴とするデジタル放送記録方法。
【請求項３】
デジタル方式の放送電波を受信して、該放送電波に含まれる信号を出力するデジタル放送受信装置と、前記デジタル放送受信装置に接続され、前記デジタル放送受信装置から出力された前記放送電波に含まれる信号を記録するデジタル放送記録装置とを備えたデジタル放送記録システムであって、
前記デジタル放送記録装置は、前記放送電波に含まれる信号を記録するための記録部と、前記記録部の空き容量を検出する空き容量検出部と、所定の番組を前記デジタル方式の放送電波の信号に含まれるとともに第１の帯域幅を有する第１の信号により前記記録部に記録するために必要なデータ容量を算出するデータ容量算出部と、前記記録部に記録される信号として前記第１の信号および前記第１の帯域幅より狭い第２の帯域幅を有する第２の信号のいずれか一方を選択する信号選択部と、前記空き容量と前記データ容量を比較するとともに、前記比較の結果に基づいて、前記信号選択部に前記第１、第２の信号のいずれか一方を選択させる制御部とを備えることを特徴とするデジタル放送記録システム。
【請求項４】
デジタル方式の放送電波を受信して、該放送電波に含まれる信号を出力するデジタル放送受信装置と、前記デジタル放送受信装置に接続され、前記デジタル放送受信装置から出力された前記放送電波に含まれる信号を記録するデジタル放送記録装置とを備えたデジタル放送記録システムであって、
前記デジタル放送記録装置は、前記放送電波に含まれる信号を記録するための記録部と、前記記録部の空き容量を検出する空き容量検出部と、予め設定された前記空き容量の閾値を記憶する記憶部と、前記記録部に記録される信号として第１の帯域幅を有する第１の信号および前記第１の帯域幅より狭い第２の帯域幅を有する第２の信号のいずれか一方を選択する信号選択部と、前記空き容量検出部により検出された空き容量と前記閾値を比較するとともに、前記比較の結果に基づいて、前記信号選択部に前記第１、第２の信号のいずれか一方を選択させる制御部とを備えることを特徴とするデジタル放送記録システム。
【請求項５】
デジタル方式の放送電波を受信して、該放送電波に含まれる信号を出力するデジタル放送受信部と、
前記放送電波に含まれる信号を記録するための記録部と、
前記記録部の空き容量を検出する空き容量検出部と、
所定の番組を第１の帯域幅を有する第１の信号により前記記録部に記録するために必要なデータ容量を算出するデータ容量算出部と、
前記記録部に記録される信号として前記第１の信号および前記第１の帯域幅より狭い第２の帯域幅を有する第２の信号のいずれか一方を選択する信号選択部と、
前記空き容量と前記データ容量を比較するとともに、前記比較の結果に基づいて、前記信号選択部に前記第１、第２の信号のいずれか一方を選択させる制御部と
を備えることを特徴とするデジタル放送記録装置。
【請求項６】
デジタル方式の放送電波を受信して、該放送電波に含まれる信号を出力するデジタル放送受信部と、
前記放送電波に含まれる信号を記録するための記録部と、
前記記録部の空き容量を検出する空き容量検出部と、
予め設定された前記空き容量の閾値を記憶する記憶部と、
前記記録部に記録される信号として第１の帯域幅を有する第１の信号および前記第１の帯域幅より狭い第２の帯域幅を有する第２の信号のいずれか一方を選択する信号選択部と、
前記空き容量検出部により検出された空き容量と前記閾値を比較するとともに、前記比較の結果に基づいて、前記信号選択部に前記第１、第２の信号のいずれか一方を選択させる制御部と
を備えることを特徴とするデジタル放送記録装置。
【発明の詳細な説明】
【技術分野】
【０００１】
本発明は、受信したデジタル放送信号を記録するデジタル放送記録方法、デジタル放送記録システム及びデジタル放送記録装置に関する。
【背景技術】
【０００２】
近年、パーソナルコンピュータ（以下、「パソコン」と言う。）は、高度なＡＶ（Ａｕｄｉｏ  Ｖｉｓｕａｌ）機能を搭載しており、ＴＶ放送受信用の装置であるチューナーモジュールをパソコンに接続することで、パソコンのＬＣＤディスプレイ上に放送番組コンテンツを表示させて視聴することや、放送番組コンテンツを、例えば、ハードディスク等の大容量記録装置に記録（録画）することが一般的になっている。また、ＴＶ放送は、アナログ放送からデジタル放送に移行しており、パソコンに接続して使用されるチューナーモジュールも、デジタル放送用の商品が販売され始めている。
【０００３】
また、日本の地上波を用いたデジタル放送（以下、「地上波デジタル放送」と言う。）の方式としては、１つのチャンネルあたりの帯域を１３個のセグメント（約４３０ｋＨｚ帯域を有する送信単位）に分割し、これらのセグメントをいくつか束ねた状態で、映像データや音声データ等を送信する方式が採用されている。
【０００４】
また、地上波デジタル放送において使用されるデジタル方式の放送電波には、高精細な画像情報および音声情報が含まれるＨＤＴＶ（Ｈｉｇｈ  Ｄｅｆｉｎｉｔｉｏｎ  Ｔｅｌｅｖｉｓｉｏｎ）方式（または、ハイビジョン方式）の信号と、ハイビジョン方式の信号に比し、帯域幅が狭い画像情報および音声情報が含まれる簡易動画方式（または、１セグメント方式）の信号が含まれている。
【０００５】
このうち、ハイビジョン方式は、上述の１３個のセグメントのうち、１２個のセグメントを使用して、映像データや、音声データ等を送信する方式であり、１セグメント方式は、上述の１３個のセグメント分の帯域の中央の１セグメントを使用し、当該１セグメント分の帯域内に収まるように、発振周波数を設定して、映像データや、音声データ等を送信する方式である。このように、１セグメント方式は、ハイビジョン方式に比し、帯域幅が狭いため、ＱＶＧＡ（３２０×２４０ピクセル）サイズの低画質の画像しか伝送できないが、１２セグメントを使用するハイビジョン方式に比し、携帯電話などのモバイル受信端末向けに適しているという特徴がある。
【０００６】
そして、このような地上波デジタル放送を記録するデジタル放送記録装置として、地上波デジタル放送受信用のチューナーモジュールと、当該チューナーモジュールに接続して使用されるパソコンにより構成され、放送局から送信された地上波デジタル方式の放送電波を受信して、当該放送電波に含まれるハイビジョン方式の信号、および１セグメント方式の信号に対するデコード処理を行ない、映像をディスプレイに表示するとともに、音声をスピーカにて鳴動させるものが開示されている。より具体的には、このチューナーモジュールにおいて、まず、専用のアンテナを介して受信したデジタル方式の放送電波に含まれる信号（以下、「デジタル放送信号」という。）の中から、所望のチャンネルに対応するデジタル放送信号をチューナーによって選択するとともに、選択したデジタル放送信号に対して、復調、符号誤り訂正等を行い、ＭＰＥＧ―２方式に準拠した、放送番組コンテンツを含むトランスポート・ストリームを生成する。次いで、当該トランスポート・ストリームに対してデスクランブル処理を行い、スクランブルが解除されたトランスポート・ストリームを暗号化して、汎用のインターフェースを介して、パソコンに伝送する。次いで、パソコンにおいて、暗号化されたトランスポート・ストリームを復号化するとともに、ＭＰＥＧ―２方式に基づいて圧縮符号化された放送番組コンテンツを元の映像データと音声データに伸長する。そして、映像データに基づく映像をＬＣＤディスプレイに表示させるとともに、音声データに基づく音声をスピーカにて鳴動させる構成となっている。また、パソコンは、ハードディスク等の大容量記録装置を備えており、当該大容量記録装置に、暗号化されたトランスポート・ストリームを記録（録画）する構成となっている（例えば、特許文献１参照）。
【特許文献１】特開２００６−７４６８６号公報
【発明の開示】
【発明が解決しようとする課題】
【０００７】
ここで、地上波デジタル放送をハイビジョン方式で記録する際には、１セグメント方式に比し、記録するデータ量（データ容量）が大きくなる。従って、上記従来のデジタル放送記録装置では、地上波デジタル放送をデータ容量の大きいハイビジョン方式で記録をする際に、大容量記録装置の空き容量に不足が生じる場合があり、結果として、記録ミスが生じるという不都合があった。
【０００８】
そこで、本発明は、上述の問題に鑑みてなされたものであり、デジタル放送信号を記録する際に、記録ミスの発生を効果的に回避することができるデジタル放送記録装置を提供することを目的とする。
【課題を解決するための手段】
【０００９】
上記目的を達成するために、請求項１に記載の発明は、デジタル方式の放送電波を受信し、放送電波に含まれる信号を記録部に記録するデジタル放送記録方法であって、記録部の空き容量を検出するステップと、所定の番組を第１の帯域幅を有する第１の信号により前記記録部に記録するために必要なデータ容量を算出するステップと、空き容量と前記データ容量を比較するステップと、比較の結果に基づいて、記録部に記録される信号として第１の信号および第１の帯域幅より狭い第２の帯域幅を有する第２の信号のいずれか一方を選択して記録するステップとを備えることを特徴とする。
【００１０】
同構成によれば、空き容量とデータ容量の比較の結果に基づいて、記録部に記録される信号として、第１、第２の信号のいずれか一方を選択する構成としている。従って、空き容量の大きさに応じて、第１、第２の信号のいずれか一方を記録部に記録することができるため、記録部の空き容量が小さい場合であっても、記録ミスを生じることなく、所定の番組の全部を記録部に記録することが可能になる。
【００１１】
請求項２に記載の発明は、デジタル方式の放送電波を受信し、放送電波に含まれる信号を記録部に記録するデジタル放送記録方法であって、記録部の空き容量を検出するステップと、検出された空き容量と予め設定された空き容量の閾値を比較するステップと、比較の結果に基づいて、記録部に記録される信号として第１の帯域幅を有する第１の信号および第１の帯域幅より狭い第２の帯域幅を有する第２の信号のいずれか一方を選択して記録するステップとを備えることを特徴とする。
【００１２】
同構成によれば、検出された空き容量と予め設定された空き容量の閾値の比較の結果に基づいて、記録部に記録される信号として、第１、第２の信号のいずれか一方を選択する構成としている。従って、空き容量の大きさに応じて、第１、第２の信号のいずれか一方を記録部に記録することができるため、記録部の空き容量が小さい場合であっても、記録ミスを生じることなく、所定の番組の全部を記録部に記録することが可能になる。
【００１３】
また、所定の番組を記録した後の記憶部の空き容量を十分に確保することができる。従って、所定の番組以外に、記録を希望する他の番組がある場合に、所定の番組を記録した後の記憶部の空き容量の不足を回避することができるため、所定の番組と他の番組の双方を記録することが可能になる。
【００１４】
請求項３に記載の発明は、デジタル方式の放送電波を受信して、放送電波に含まれる信号を出力するデジタル放送受信装置と、デジタル放送受信装置に接続され、デジタル放送受信装置から出力された放送電波に含まれる信号を記録するデジタル放送記録装置とを備えたデジタル放送記録システムであって、デジタル放送記録装置は、放送電波に含まれる信号を記録するための記録部と、記録部の空き容量を検出する空き容量検出部と、所定の番組をデジタル方式の放送電波の信号に含まれるとともに第１の帯域幅を有する第１の信号により記録部に記録するために必要なデータ容量を算出するデータ容量算出部と、記録部に記録される信号として第１の信号および第１の帯域幅より狭い第２の帯域幅を有する第２の信号のいずれか一方を選択する信号選択部と、空き容量とデータ容量を比較するとともに、比較の結果に基づいて、信号選択部に第１、第２の信号のいずれか一方を選択させる制御部とを備えることを特徴とする。
【００１５】
同構成によれば、空き容量とデータ容量の比較の結果に基づいて、記録部に記録される信号として、第１、第２の信号のいずれか一方を選択する構成としている。従って、空き容量の大きさに応じて、第１、第２の信号のいずれか一方を記録部に記録することができるため、記録部の空き容量が小さい場合であっても、記録ミスを生じることなく、所定の番組の全部を記録部に記録することが可能になる。
【００１６】
請求項４に記載の発明は、デジタル方式の放送電波を受信して、放送電波に含まれる信号を出力するデジタル放送受信装置と、デジタル放送受信装置に接続され、デジタル放送受信装置から出力された放送電波に含まれる信号を記録するデジタル放送記録装置とを備えたデジタル放送記録システムであって、デジタル放送記録装置は、放送電波に含まれる信号を記録するための記録部と、記録部の空き容量を検出する空き容量検出部と、予め設定された空き容量の閾値を記憶する記憶部と、記録部に記録される信号として第１の帯域幅を有する第１の信号および第１の帯域幅より狭い第２の帯域幅を有する第２の信号のいずれか一方を選択する信号選択部と、空き容量検出部により検出された空き容量と閾値を比較するとともに、比較の結果に基づいて、信号選択部に第１、第２の信号のいずれか一方を選択させる制御部とを備えることを特徴とする。
【００１７】
同構成によれば、検出された空き容量と予め設定された空き容量の閾値の比較の結果に基づいて、記録部に記録される信号として、第１、第２の信号のいずれか一方を選択する構成としている。従って、空き容量の大きさに応じて、第１、第２の信号のいずれか一方を記録部に記録することができるため、記録部の空き容量が小さい場合であっても、記録ミスを生じることなく、所定の番組の全部を記録部に記録することが可能になる。
【００１８】
また、所定の番組を記録した後の記憶部の空き容量を十分に確保することができる。従って、所定の番組以外に、記録を希望する他の番組がある場合に、所定の番組を記録した後の記憶部の空き容量の不足を回避することができるため、所定の番組と他の番組の双方を記録することが可能になる。
【００１９】
請求項５に記載の発明は、デジタル方式の放送電波を受信して、放送電波に含まれる信号を出力するデジタル放送受信部と、放送電波に含まれる信号を記録するための記録部と、記録部の空き容量を検出する空き容量検出部と、所定の番組を第１の帯域幅を有する第１の信号により記録部に記録するために必要なデータ容量を算出するデータ容量算出部と、記録部に記録される信号として第１の信号および第１の帯域幅より狭い第２の帯域幅を有する第２の信号のいずれか一方を選択する信号選択部と、空き容量とデータ容量を比較するとともに、比較の結果に基づいて、信号選択部に第１、第２の信号のいずれか一方を選択させる制御部とを備えることを特徴とするデジタル放送記録装置である。
【００２０】
同構成によれば、空き容量とデータ容量の比較の結果に基づいて、記録部に記録される信号として、第１、第２の信号のいずれか一方を選択する構成としている。従って、空き容量の大きさに応じて、第１、第２の信号のいずれか一方を記録部に記録することができるため、記録部の空き容量が小さい場合であっても、記録ミスを生じることなく、所定の番組の全部を記録部に記録することが可能になる。
【００２１】
請求項６に記載の発明は、デジタル方式の放送電波を受信して、放送電波に含まれる信号を出力するデジタル放送受信部と、放送電波に含まれる信号を記録するための記録部と、記録部の空き容量を検出する空き容量検出部と、予め設定された空き容量の閾値を記憶する記憶部と、記録部に記録される信号として第１の帯域幅を有する第１の信号および第１の帯域幅より狭い第２の帯域幅を有する第２の信号のいずれか一方を選択する信号選択部と、空き容量検出部により検出された空き容量と閾値を比較するとともに、比較の結果に基づいて、信号選択部に第１、第２の信号のいずれか一方を選択させる制御部とを備えることを特徴とするデジタル放送記録装置である。
【００２２】
同構成によれば、検出された空き容量と予め設定された空き容量の閾値の比較の結果に基づいて、記録部に記録される信号として、第１、第２の信号のいずれか一方を選択する構成としている。従って、空き容量の大きさに応じて、第１、第２の信号のいずれか一方を記録部に記録することができるため、記録部の空き容量が小さい場合であっても、記録ミスを生じることなく、所定の番組の全部を記録部に記録することが可能になる。
【００２３】
また、所定の番組を記録した後の記憶部の空き容量を十分に確保することができる。従って、所定の番組以外に、記録を希望する他の番組がある場合に、所定の番組を記録した後の記憶部の空き容量の不足を回避することができるため、所定の番組と他の番組の双方を記録することが可能になる。
【発明の効果】
【００２４】
本発明によれば、デジタル方式の放送電波に含まれる信号を記録する際に、記録部の空き容量が小さい場合であっても、記録ミスを生じることなく、所定の番組の全部を記録することが可能になる。
【発明を実施するための最良の形態】
【００２５】
（第１の実施形態）
以下に、本発明の好適な実施形態について説明する。図１は、本発明の第１の実施形態に係るデジタル放送記録方法を使用するデジタル放送記録システムの全体構成を示す概略図である。図１に示すように、このデジタル放送記録システム１は、デジタル放送受信装置としてのチューナーモジュール２と、当該チューナーモジュール２に接続して使用されるデジタル放送記録装置としての電子機器であるパソコン３とを備えている。
【００２６】
チューナーモジュール２は、屋外において、所定の方向に向けて配置され、デジタル放送信号を受信するアンテナ４と、アンテナ４が受信したデジタル放送信号において、所望のチャンネルに対応するデジタル放送信号を選択するチューナー部５と、チューナー部５により選局された信号を復調し、誤り符号訂正を行う復調部６とを備えている。また、チューナーモジュール２は、復調部６により復調された信号のスクランブルを解除するデスクランブル処理部７と、デスクランブル処理部７におけるスクランブルの解除に必要なデスクランブルキー（解除鍵）が記憶されたＩＣカード５０が接続されるＩＣカードインターフェース８と、デスクランブル処理部７によりスクランブルが解除された信号を暗号化する暗号化処理部９と、暗号化処理部９により暗号化された信号をパソコン３へ伝送するためのインターフェース１０とを備えている。
【００２７】
パソコン３は、インターフェース１０を介して、暗号化された信号が入力されるインターフェースコントローラ２０と、チューナーモジュール２から受け取った暗号化された信号を復号する復号化処理部２１と、復号化された信号をデコードするデコード処理部２２とを備えている。また、パソコン３は、デコードされた信号を、映像データ、音声データ、番組情報等に分離する分離部２５と、分離された映像データを処理して、ＶＲＡＭ３０に一時的に記憶させるとともに、映像データに基づく映像をＬＣＤディスプレイ３１に表示する映像処理部２６と、分離された音声データを処理して、音声データに基づく音声をスピーカ３２にて鳴動させる音声処理部２７とを備えている。また、パソコン３は、メニュー用の画面や電子番組ガイド（Ｅｌｅｃｔｏｒｏｎｉｃ  Ｐｒｏｇｒａｍ  Ｇｕｉｄｅ）の画面等の表示を行うための映像データを生成するとともに、この映像データを、分離された映像データに組み込む処理（オンスクリーンディスプレイ（ＯＳＤ）処理）を行うＧＵＩ（グラフィック・ユーザー・インターフェース）処理部２９とを備えている。なお、電子番組ガイドは、番組の選局や詳細情報の表示、録画予約等に利用される。
【００２８】
また、パソコン３は、チューナーモジュール２から受け取った暗号化された信号（即ち、デジタル方式の放送電波に含まれる信号）を記録（録画）するための記録部であるハードディスク２８と、復号化処理部２１、デコード処理部２２、分離部２５等の各部の制御を行う制御手段であるＣＰＵ４０と、ユーザーが入力操作を行うための入力手段であるキーボード４１とを備えている。
【００２９】
また、パソコン３は、ＣＰＵ４０において、チューナーモジュール２から受け取った暗号化された信号の処理を制御するための制御プログラムをインストールするためのインストール手段３７を備えている。このインストール手段３７は、図１に示すように、ＣＤ／ＤＶＤドライブ装置３８と、ＬＡＮコントローラ３９により構成されている。ＣＤ／ＤＶＤドライブ装置３８を使用する場合は、ＣＤ／ＤＶＤドライブ装置３８を介して、チューナーモジュール２に付属のＣＤやＤＶＤに記憶された上述の制御プログラムがインストールされる構成となっている。一方、ＬＡＮコントローラ３９を使用する場合は、図示しない通信ケーブルによりネットワーク回線に接続される通信コネクタ４５を介して取得された上述の制御プログラムが、ＬＡＮコントローラ３９を介してインストールされる構成となっている。
【００３０】
次に、チューナーモジュール２の動作について説明する。まず、アンテナ４が、放送局や衛星から送られてくるデジタル放送信号を受信し、当該デジタル放送信号を、アンテナ４を介して、チューナー部５へ出力する。アンテナ４は、周波数変換器を備え、周波数変換された信号をチューナー部５に与える構成となっている。
【００３１】
なお、デジタル放送における映像データ、音声データ、番組情報等のデータは、ＭＰＥＧ−２システムに準拠して多重化されており、デジタル放送信号は、各データがパケット単位で多重化されたトランスポート・ストリームとなっている。また、このデジタル放送信号には、第１の帯域幅を有する第１の信号と、第１の帯域幅より狭い第２の帯域幅を有する第２の信号が含まれている。
【００３２】
より具体的には、デジタル放送信号は、１３セグメントに分割された帯域幅を有しており、この１３セグメントのうち、１２セグメントを使用した信号である第１の信号（以下、「ハイビジョン方式の信号」という。）と、上述の１３セグメントのうち、１セグメントを使用した信号である第２の信号（以下、「１セグメント方式の信号」という。）が多重化されている。なお、ハイビジョン方式の信号は、ＭＰＥＧ−２方式により圧縮符号化された第１の映像信号を有しており、１セグメント方式の信号は、ＭＰＥＧ−２方式より圧縮率が高いＭＰＥＧ−４方式（Ｈ．２６４方式）により圧縮符号化された第２の映像信号を有している。また、ハイビジョン方式の信号、およびワンセグ方式の信号の各々が有する音声信号は、ＭＰＥＧ−２  ＡＡＣ方式により圧縮符号化されている。
【００３３】
チューナー部５は、アンテナ４から入力されたデジタル放送信号において、ユーザーが指定したチャンネルに対応するデジタル放送信号（この場合、ハイビジョン方式の信号とワンセグ方式の信号の双方）を選択して、復調部６へ出力する。即ち、チューナー部５は、映像データや音声データを含むデジタル放送信号のうち、特定周波数の信号を取り出して、復調部６へと出力する。復調部６は、チューナー部５により選択されたデジタル放送信号をＡ／Ｄ変換して復調するとともに、伝送路で発生する誤り符号訂正を行い、トランスポート・ストリーム（Ｔｒａｎｓｐｏｒｔ  Ｓｔｒｅａｍ）を生成し、生成したトランスポート・ストリームをデスクランブル処理部７へ出力する。
【００３４】
トランスポート・ストリームは、トランスポート・ストリームパケット（以下、「ＴＳパケット」という。）が隙間なく連続したものであり、多数の個別の符号化ストリームがＴＳパケットと呼ばれる短い伝送単位で、時分割多重化されているものである。また、ＴＳパケットは、図２に示すように、１８８バイトの固定長のパケットであり、４バイトの固定長のヘッダーと、１８４バイトのペイロード、アダプテーションフィールド、またはペイロードとアダプテーションフィールドが混在した構成となっている。また、ヘッダーは、図３に示す構成となっており、ペイロードユニット開始インジケータは、新たなＰＥＳ（Ｐａｃｋｅｔｉｚｅｄ  Ｅｌｅｍｅｎｔａｒｙ  Ｓｔｒｅａｍ）パケットが、このＴＳパケットのペイロードから始まることを表わすものである。また、ＰＩＤ（Ｐａｃｋｅｔ  ＩＤ）は、このＴＳパケットが含まれるストリームの識別子を表わしており、ＴＳパケットの種類を識別する（即ち、どの番組の映像データ、音声データ、番組情報等かを識別する）ためのものである。また、トランスポートスクランブル制御フラグは、ペイロードのスクランブル制御を表わすためのものである。
【００３５】
デスクランブル処理部７は、有料放送において、トランスポート・ストリームにスクランブルが施されている場合に、このスクランブルを、ＩＣカードインターフェース８に接続されたＩＣカード５０から得られるデスクランブルキー（解除鍵）によって解除する処理を行う。スクランブルが解除されたトランスポート・ストリームは、暗号化処理部９へ出力されるとともに、当該暗号化処理部９により、ＤＥＳ（Ｄａｔａ  Ｅｎｃｒｙｐｔｉｏｎ  Ｓｔａｎｄａｒｄ）、ＡＥＳ（Ａｄｖａｎｃｅｄ  Ｅｎｃｒｙｐｔｉｏｎ  Ｓｔａｎｄａｒｄ）等の所定の方式により暗号化される。暗号化されたトランスポート・ストリームは、汎用のインターフェース１０（例えば、ＵＳＢ２．０）を介して、パソコン３へと出力される。なお、チューナーモジュール２は、チューナー部５、復調部６、デスクランブル処理部７、ＩＣカードインターフェース８、および暗号化処理部９の各部の制御を行う制御手段としてのＣＰＵ１１を備えており、パソコン３のＣＰＵ４０からの指示に従い、これらの各部の制御を行う構成となっている。
【００３６】
次に、上述のインストールされた制御プログラムに基づくパソコン３の動作について説明する。チューナーモジュール２により暗号化されたトランスポート・ストリームは、インターフェースコントローラ２０に入力され、当該インターフェースコントローラ２０を介して、復号化処理部２１に入力される。復号化処理部２１は、上述のＤＥＳ、ＡＥＳ等の所定の形式で暗号化されたトランスポート・ストリームを復号し、復号化されたトランスポート・ストリームをデコード処理部２２へと出力する。デコード処理部２２は、ＭＰＥＧ−２方式に基づいて圧縮符号化された映像信号を有するトランスポート・ストリーム（即ち、ハイビジョン方式の信号）に対して、ＭＰＥＧ−２方式のデコードを行うとともに、ＭＰＥＧ−４方式（Ｈ．２６４方式）に基づいて圧縮符号化された映像信号を有するトランスポート・ストリーム（即ち、ワンセグ方式の信号）に対して、Ｈ．２６４方式のデコードを行い、圧縮されたデータを、元の映像データと音声データに伸長する。
【００３７】
デコードされたトランスポート・ストリームは、分離部２５に入力され、当該分離部２５において、ユーザーが指定したチャンネル、およびユーザーが指定した放送方式（即ち、ハイビジョン方式、またはワンセグ方式）の映像データ、音声データ、番組情報であるＰＳＩ／ＳＩ（Ｐｒｏｇｒａｍ  Ｓｐｅｃｉｆｉｃ  Ｉｎｆｏｒｍａｔｉｏｎ／Ｓｅｒｖｉｃｅ  Ｉｎｆｏｒｍａｔｉｏｎ）等に分離される。そして、分離された映像データは、映像処理部２６へ出力されるとともに、当該映像処理部２６は、映像データのＤ／Ａ変換を行い、映像データを、ＶＲＡＭ３０に一時的に記憶させるとともに、映像データに基づく映像をＬＣＤディスプレイ３１に表示させる。また、分離された音声データは、音声処理部２７へ出力されるとともに、当該音声処理部２７において、音声データのＤ／Ａ変換、および増幅が行われた後、音声データに基づく音声をスピーカ３２にて鳴動させる。
【００３８】
また、分離された番組情報は、ＧＵＩ処理部２９へ出力され、当該ＧＵＩ処理部２９は、分離部２５から映像処理部２６へと出力された映像データに対して、各種の映像処理を行う。例えば、ＣＰＵ４０から出力指示された文字情報や色情報に基づく映像データを生成するとともに、この映像データを分離部２５から出力される映像データに組み込む処理（オンスクリーンディスプレイ（ＯＳＤ）処理）を行う。このオンスクリーンディスプレイ処理により、電子番組ガイド用の画面や、メニュー画面、各種設定画面などの表示が行えることになる。なお、電子番組ガイドで表示する内容は、上述のＳＩのテーブルであるＥＩＴ（Ｅｖｅｎｔ  Ｉｎｆｏｒｍａｔｉｏｎ  Ｔａｂｌｅ）から取り出すことができる。この、ＥＩＴには、番組のタイトル、放送時刻、放送内容、ドラマやニュース等のジャンル情報等の番組に関する情報が格納されている。
【００３９】
ここで、本実施形態においては、チューナーモジュール２から受け取った暗号化された信号（即ち、トランスポート・ストリーム）が記録されるハードディスク２８の空き容量と、当該ハードディスク２８における記録に必要なデータ容量を比較することにより、記録する信号の方式を選択する点に特徴がある。以下、図面を参照して、本特徴を詳しく説明する。図４、図５は、本発明の第１の実施形態に係るデジタル放送記録方法を使用したデジタル放送記録システムにおけるデジタル放送信号の記録手順を示すフローチャートである。
【００４０】
図１に示すように、パソコン３は、チューナーモジュール２から受け取った暗号化されたトランスポート・ストリームを記録するためのハードディスク２８の空き容量を検出する空き容量検出部３３と、ユーザーが記録を希望する番組を、ハイビジョン方式の信号（即ち、ハイビジョン方式に対応する、暗号化されたトランスポート・ストリーム）で記録するために必要なデータ容量を算出するためのデータ容量算出部３４と、ハードディスク２８に記録される信号として、ハイビジョン方式の信号とワンセグ方式の信号（即ち、ワンセグ方式に対応する、暗号化されたトランスポート・ストリーム）のいずれか一方を選択するための信号選択部３５を備えている。なお、これらのハードディスク２８、空き容量検出部３３、データ容量算出部３４、および信号選択部３５の各々は、制御手段であるＣＰＵ４０に接続されており、当該ＣＰＵ４０が、上述の制御プログラムに基づいて、これらの各部の制御を行う構成となっている。
【００４１】
そして、本実施形態におけるデジタル放送記録システム１において、デジタル放送の記録を行う際には、まず、ユーザーによるキーボード４１の入力操作により、ユーザーが希望する番組の記録を行う旨の指示が、ＣＰＵ４０に入力される（ステップＳ１）。次いで、ＣＰＵ４０は、デジタル放送信号の記録を開始する前に、空き容量検出部３３を制御するための制御信号を出力し、空き容量検出部３３が、ハードディスク２８の空き容量を検出し、検出結果がＣＰＵ４０に入力される（ステップＳ２）。また、チューナーモジュール２により暗号化された、ハイビジョン方式、およびワンセグ方式に対応するトランスポート・ストリームが、信号選択部３５に入力される。
【００４２】
次いで、上述の分離部２５により分離された番組情報が、データ容量算出部３４に入力され、当該データ容量算出部３４は、この番組情報に基づいて、ユーザーが記録を希望する番組をハイビジョン方式の信号で記録するために必要なデータ容量を算出し、算出されたデータ容量がＣＰＵに入力される（ステップＳ３）。
【００４３】
より具体的には、データ容量算出部３４は、ユーザーが希望する番組の放送時間（または、記録時間）と、予め設定された当該番組のハイビジョン放送の平均ビットレートから、ユーザーが記録を希望する番組を、ハイビジョン方式の信号で記録するために必要なデータ容量を算出する。なお、地上波デジタル放送のハイビジョン方式における平均ビットレートの値は、３．７〜２３．２Ｍｂｐｓの範囲で設定され、また、データ容量を算出するために必要な番組の放送時間は、トランスポート・ストリームの番組情報である上述のＳＩを構成するＥＩＴ（Ｅｖｅｎｔ  Ｉｎｆｏｒｍａｔｉｏｎ  Ｔａｂｌｅ）により取得される。また、地上波デジタル放送のワンセグ方式における平均ビットレートの値は、最大で４１６ｋｂｐｓである。
【００４４】
次いで、ＣＰＵ４０は、空き容量検出部３３により検出された空き容量とデータ容量算出部３４で算出されたデータ容量とを比較（即ち、空き容量がデータ容量以上か否かを判断）し（ステップＳ４）、比較結果に基づいて、信号選択部３５が、ハードディスク２８に記録される信号として、ハイビジョン方式の信号とワンセグ方式の信号のいずれか一方を選択するように、信号選択部３５を制御する。
【００４５】
より具体的には、空き容量がデータ容量以上であると判断した場合は、ＣＰＵ４０は、信号選択部３５が、ハードディスク２８に記録される信号としてハイビジョン方式の信号を選択するように、信号選択部３５を制御するための制御信号を出力する。そして、信号選択部３５は、ハイビジョン方式の信号を選択し（ステップＳ５）、番組の記録開始時刻になると、ハードディスク２８へのハイビジョン方式の信号の記録が開始される（ステップＳ６）。一方、空き容量がデータ容量より小さいと判断した場合は、ＣＰＵ４０は、信号選択部３５が、ハードディスク２８に記録される信号としてワンセグ方式の信号を選択するように、信号選択部３５を制御するための制御信号を出力する。そして、信号選択部３５は、ワンセグ方式の信号を選択し（ステップＳ７）、番組の記録開始時刻になると、ハードディスク２８へのワンセグ方式の信号の記録が開始される（ステップＳ８）。
【００４６】
例えば、地上波デジタル放送のハイビジョン方式における平均ビットレートが２０Ｍｂｐｓ、番組の放送時間が１時間、ハードディスク２８の空き容量が１２ＧＢの場合、必要なデータ容量は、以下の（式１）により求めることができる。
【００４７】
データ容量〔ＧＢ〕＝１〔時間〕×３６００〔秒〕×２０×１０６〔ｂ／ｓ〕／８〔ｂ／Ｂ〕＝９ＧＢ…（式１）
この場合、空き容量（即ち、１２ＧＢ）は、必要なデータ容量（即ち、９ＧＢ）よりも大きいため、ＣＰＵ４０は、空き容量がデータ容量以上であると判断するとともに、信号選択部３５は、ハイビジョン方式の信号を選択して、ハードディスク２８へのハイビジョン方式の信号の記録が開始されることになる。
【００４８】
一方、ハードディスク２８の空き容量が６ＧＢの場合、空き容量（即ち、６ＧＢ）は、必要なデータ容量（即ち、９ＧＢ）よりも小さいため、ＣＰＵ４０は、空き容量がデータ容量より小さいと判断するとともに、信号選択部３５は、ワンセグ方式の信号を選択して、ハードディスク２８へのワンセグ方式の信号の記録が開始されることになる。
【００４９】
また、図１に示すように、パソコン３は、ＣＰＵ４０に接続されたタイマー３６を備えている。そして、ＣＰＵ４０は、ハードディスク２８へのトランスポート・ストリームの記録が開始されると、タイマー３６を駆動し、トランスポート・ストリームの記録時間Ｔ１を計測するためのタイマー３６をＯＮの状態に切り替え、トランスポート・ストリームの記録時間Ｔ１の計測が開始される（ステップＳ９）。
【００５０】
次いで、ＣＰＵ４０は、ハードディスク２８へ記録されている信号がハイビジョン方式の信号か否かを判断し（ステップＳ１０）、ハイビジョン方式の信号であると判断した場合は、ＣＰＵ４０は、空き容量検出部３３を制御するための制御信号を出力し、空き容量検出部３３が、ハイビジョン方式の信号を記録中であるハードディスク２８の残りの空き容量（以下、「残りの空き容量」という。）を検出し、検出結果がＣＰＵ４０に入力される（ステップＳ１１）。
【００５１】
次いで、上述の分離部２５により分離された番組情報がデータ容量算出部３４に入力され、当該データ容量算出部３４は、この番組情報に基づいて、ユーザーが記録を希望する番組の残りの部分を、ハイビジョン方式の信号で記録するために必要な残りのデータ容量（以下、「残りのデータ容量」）を算出し、算出されたデータ容量がＣＰＵに入力される（ステップＳ１２）。
【００５２】
より具体的には、データ容量算出部３４は、ユーザーが希望する番組の残りの放送時間（または、残りの記録時間）と、予め設定された当該番組のハイビジョン放送の平均ビットレートから、残りのデータ容量を算出する。
【００５３】
次いで、ＣＰＵ４０は、空き容量検出部３３により検出された残りの空き容量とデータ容量算出部３４で算出された残りのデータ容量とを比較（即ち、残りの空き容量が残りのデータ容量以上か否かを判断）し（ステップＳ１３）、比較結果に基づいて、信号選択部３５が、ハードディスク２８に記録される信号としてハイビジョン方式の信号とワンセグ方式の信号のいずれか一方を選択するように、信号選択部３５を制御する。
【００５４】
より具体的には、残りの空き容量が残りのデータ容量以上であると判断した場合は、ＣＰＵ４０は、信号選択部３５が、ハードディスク２８に記録される信号として、ハイビジョン方式の信号を選択した状態を維持するように、信号選択部３５を制御するための制御信号を出力する。そして、信号選択部３５は、ハイビジョン方式の信号を選択した状態を維持し（ステップＳ１４）、ハードディスク２８へのハイビジョン方式の信号の記録が継続される（ステップＳ１５）。
【００５５】
一方、残りの空き容量が残りのデータ容量より小さいと判断した場合は、ＣＰＵ４０は、信号選択部３５が、ハードディスク２８に記録される信号として、ワンセグ方式の信号を選択するように、信号選択部３５を制御するための制御信号を出力する。そして、信号選択部３５は、ワンセグ方式の信号を選択し（ステップＳ１６）、ハードディスク２８へのワンセグ方式の信号の記録が開始される（ステップＳ１７）。
【００５６】
例えば、地上波デジタル放送のハイビジョン方式における平均ビットレートが２０Ｍｂｐｓ、番組の残りの放送時間が０．５時間、ハードディスク２８の残りの空き容量が７．５ＧＢの場合、必要な残りのデータ容量は、以下の（式２）により求めることができる。
【００５７】
残りのデータ容量〔ＧＢ〕＝０．５〔時間〕×３６００〔秒〕×２０×１０６〔ｂ／ｓ〕／８〔ｂ／Ｂ〕＝４．５ＧＢ…（式２）
この場合、残りの空き容量（即ち、７．５ＧＢ）は、必要な残りのデータ容量（即ち、４．５ＧＢ）よりも大きいため、ＣＰＵ４０は、残りの空き容量が残りのデータ容量以上であると判断するとともに、信号選択部３５は、ハイビジョン方式の信号を選択した状態を維持して、ハードディスク２８へのハイビジョン方式の信号の記録が継続されることになる。
【００５８】
一方、ハードディスク２８の残りの空き容量が３ＧＢの場合、残りの空き容量（即ち、３ＧＢ）は、必要な残りのデータ容量（即ち、４．５ＧＢ）よりも小さいため、ＣＰＵ４０は、残りの空き容量が残りのデータ容量より小さいと判断するとともに、信号選択部３５は、ワンセグ方式の信号を選択して、ハードディスク２８へのワンセグ方式の信号の記録が開始されることになる。
【００５９】
次いで、ＣＰＵ４０は、タイマー３６により計測されたトランスポート・ストリームの記録時間Ｔ１と番組の放送時間Ｔ２とを比較し、記録時間Ｔ１が放送時間Ｔ２以上か否か（即ち、記録時間Ｔ１が放送時間Ｔ２を越えたか否か）を判断する（ステップＳ１８）。そして、記録時間Ｔ１が、放送時間Ｔ２より小さい（即ち、Ｔ１＜Ｔ２）と判断した場合は、上述のステップＳ１１〜ステップＳ１７の作業が繰り返される。なお、このステップＳ１１〜ステップＳ１７の作業は、予め設定された周期（例えば、５秒周期）で繰り返される。一方、記録時間Ｔ１が放送時間Ｔ２以上（即ち、Ｔ１≧Ｔ２）と判断した場合は、ハードディスク２８へのハイビジョン方式の信号の記録作業が終了する（ステップＳ１９）。
【００６０】
また、ＣＰＵ４０は、上述のステップＳ１０において、ハードディスク２８へ記録されている信号がワンセグ方式の信号であると判断した場合は、ＣＰＵ４０は、信号選択部３５が、ハードディスク２８に記録される信号としてワンセグ方式の信号を選択した状態を維持するように、信号選択部３５を制御するための制御信号を出力する。そして、信号選択部３５は、ワンセグ方式の信号を選択した状態を維持し（ステップＳ２０）、ハードディスク２８へのワンセグ方式の信号の記録が継続される（ステップＳ２１）。
【００６１】
また、上述のステップＳ１７において、ハードディスク２８へのワンセグ方式の信号の記録が開始された場合も、ハードディスク２８へのワンセグ方式の信号の記録が継続される（ステップＳ２１）。そして、ＣＰＵ４０は、上述のステップＳ１８と同様に、タイマー３６により計測されたトランスポート・ストリームの記録時間Ｔ１と番組の放送時間Ｔ２とを比較し、記録時間Ｔ１が放送時間Ｔ２以上か否か（即ち、記録時間Ｔ１が放送時間Ｔ２を越えたか否か）を判断する（ステップＳ２２）。そして、記録時間Ｔ１が、放送時間Ｔ２より小さい（即ち、Ｔ１＜Ｔ２）と判断した場合は、上述のステップＳ２１の作業が繰り返される。一方、記録時間Ｔ１が放送時間Ｔ２以上（即ち、Ｔ１≧Ｔ２）と判断した場合は、ハードディスク２８へのワンセグ方式の信号の記録作業が終了する（ステップＳ２３）。
【００６２】
なお、記録した番組を再生する際には、ハードディスク２８に記録したトランスポート・ストリームが、ＣＰＵ４０の指示により読み出されて、復号化処理部２１へと出力され、その後、上述した処理が行われる。即ち、復号化処理部２１は、ハードディスク２８に記録されている、暗号化されたトランスポート・ストリームを復号し、復号化されたトランスポート・ストリームをデコード処理部２２へと出力する。デコード処理部２２は、上述のＭＰＥＧ−２方式やＨ．２６４方式のデコードを行い、圧縮されたデータを、元の映像データと音声データに伸長する。デコードされたトランスポート・ストリームは、分離部２５に入力され、当該分離部２５において、ユーザーが指定したチャンネルの映像データ、音声データ、番組情報等に分離される。そして、分離された映像データは、映像処理部２６へ出力されるとともに、当該映像処理部２６は、映像データのＤ／Ａ変換を行い、映像データを、ＶＲＡＭ３０に一時的に記憶させるとともに、映像データに基づく映像をＬＣＤディスプレイ３１に表示させる。また、分離された音声データは、音声処理部２７へ出力されるとともに、当該音声処理部２７は、音声データのＤ／Ａ変換が行われて増幅された後、音声データに基づく音声をスピーカ３２にて鳴動させる。
【００６３】
以上に説明した本実施形態によれば、以下の効果を得ることができる。
（１）本実施形態のデジタル放送記録方法を使用するデジタル放送記録システム１は、デジタル方式の放送電波に含まれる信号を記録するための記録部であるハードディスク２８と、ハードディスク２８の空き容量を検出する空き容量検出部３３と、所定の番組（即ち、ユーザーが記録を希望する番組）をハイビジョン方式の信号によりハードディスク２８に記録するために必要なデータ容量を算出するデータ容量算出部３４と、ハードディスク２８に記録される信号として、ハイビジョン方式の信号、およびワンセグ方式の信号のいずれか一方を選択する信号選択部３５とを備えている。そして、デジタル放送記録システム１は、空き容量とデータ容量を比較するとともに、比較の結果に基づいて、信号選択部３５に、ハイビジョン方式の信号、およびワンセグ方式の信号のいずれか一方を選択させる制御部であるＣＰＵ４０を備える構成としている。従って、空き容量の大きさに応じて、ハイビジョン方式の信号、およびワンセグ方式の信号のいずれか一方をハードディスク２８に記録することができるため、ハードディスク２８の空き容量が小さい場合であっても、記録ミスを生じることなく、所定の番組の全部をハードディスク２８に記録することが可能になる。
【００６４】
（２）また、ＣＰＵ４０が、空き容量がデータ容量以上であると判断した場合は、信号選択部３５に、ハイビジョン方式の信号を選択させ、空き容量がデータ容量より小さいと判断した場合は、信号選択部３５に、ワンセグ方式の信号を選択させる構成としている。従って、空き容量がデータ容量以上の場合は、所定の番組の全部を、ワンセグ方式の信号が有する第２の帯域幅よりも広い第１の帯域幅を有するハイビジョン方式の信号により記録することができるため、高画質の画像で、所定の番組の全部をハードディスク２８に記録することが可能になる。また、空き容量がデータ容量より小さい場合は、所定の番組を、ＭＰＥＧ−２方式より圧縮率が高いＭＰＥＧ−４方式で圧縮された第２の映像信号を有するワンセグ方式の信号により記録するため、ハードディスク２８の空き容量が小さい場合であっても、記録ミスを生じることなく、所定の番組の全部をハードディスク２８に記録することが可能になる。
【００６５】
（３）また、ハードディスク２８への信号の記録中に、空き容量検出部３３は、ハードディスク２８の残りの空き容量を検出するとともに、データ容量算出部３４は、所定の番組の残りの部分をハイビジョン方式の信号で記録するために必要な残りのデータ容量を算出する構成としている。そして、ＣＰＵ４０は、残りの空き容量と残りのデータ容量を比較するとともに、比較の結果に基づいて、信号選択部３５に、ハイビジョン方式の信号、およびワンセグ方式の信号のいずれか一方を選択させる構成としている。従って、ハードディスク２８への信号の記録中に、残りの空き容量の大きさに応じて、ハイビジョン方式の信号、およびワンセグ方式の信号のいずれか一方をハードディスク２８に記録することができるため、ハードディスク２８への信号の記録中に、当該ハードディスク２８の残りの空き容量が小さくなった場合であっても、記録ミスを生じることなく、所定の番組の残りの部分をハードディスク２８に記録することが可能になる。
【００６６】
（４）また、ＣＰＵ４０は、残りの空き容量が残りのデータ容量以上であると判断した場合は、信号選択部３５にハイビジョン方式の信号を選択させ、残りの空き容量が残りのデータ容量より小さいと判断した場合は、信号選択部３５にワンセグ方式の信号を選択させる構成としている。従って、ハードディスク２８への信号の記録中に、残りの空き容量が残りのデータ容量以上の場合は、所定の番組の残りの部分をワンセグ方式の信号が有する第２の帯域幅よりも広い第１の帯域幅を有するハイビジョン方式の信号により記録することができるため、高画質の画像で、所定の番組の残りの部分をハードディスク２８に記録することが可能になる。また、残りの空き容量が残りのデータ容量より小さい場合は、所定の番組の残りの部分をＭＰＥＧ−２方式より圧縮率が高いＭＰＥＧ−４方式で圧縮されたワンセグ方式の信号により記録するため、ハードディスク２８への信号の記録中に、ハードディスク２８の残りの空き容量が小さくなった場合であっても、記録ミスを生じることなく、所定の番組の残りの部分をハードディスク２８に記録することが可能になる。
【００６７】
（第２の実施形態）
次に、本発明の第２の実施形態について説明する。図６は、本発明の第２の実施形態に係るデジタル放送記録方法を使用するデジタル放送記録システムの全体構成を示す概略図である。なお、上述の第１の実施形態と同一の構成については、同一の符号を示して、ここでは、詳しい説明を省略する。
【００６８】
本実施形態においては、上述の第１の実施形態において説明したデータ容量算出部３４の代わりに、ハードディスク２８の空き容量に関して、予め設定された閾値を記憶する記憶部４６が設けられている。そして、空き容量検出部３３により検出された空き容量と上述の閾値を比較するとともに、当該比較の結果に基づいて、ＣＰＵ４０が、信号選択部３５に、ハイビジョン方式の信号、およびワンセグ方式の信号のいずれか一方を選択させる構成としている。以下、図面を参照して、本特徴を詳しく説明する。図７、図８は、本発明の第２の実施形態に係るデジタル放送記録方法を使用したデジタル放送記録システムにおけるデジタル放送信号の記録手順を示すフローチャートである。
【００６９】
本実施形態におけるデジタル放送記録システム１において、デジタル放送の記録を行う際には、まず、ユーザーによるキーボード４１の入力操作により、ユーザーが希望する番組の記録を行う旨の指示が、ＣＰＵ４０に入力される（ステップＳ３１）。次いで、ＣＰＵ４０は、デジタル放送信号の記録を開始する前に、空き容量検出部３３を制御するための制御信号を出力し、空き容量検出部３３が、ハードディスク２８の空き容量を検出し、検出結果がＣＰＵ４０に入力される（ステップＳ３２）。また、チューナーモジュール２により暗号化された、ハイビジョン方式、およびワンセグ方式に対応するトランスポート・ストリームが、信号選択部３５に入力される。
【００７０】
次いで、ＣＰＵ４０は、記憶部４６に記憶された、予め設定された空き容量の閾値（以下、「閾値」という。）と、空き容量検出部３３により検出された空き容量とを比較（即ち、空き容量が閾値以上か否かを判断）し（ステップＳ３３）、比較結果に基づいて、信号選択部３５が、ハードディスク２８に記録される信号として、ハイビジョン方式の信号とワンセグ方式の信号のいずれか一方を選択するように、信号選択部３５を制御する。なお、上述の閾値は、ハードディスク２８の全容量に対して予め設定された所定の割合に基づいて決定される。例えば、ハードディスク２８の全容量が１００ＧＢであって、上述の所定の割合が１０％の場合、予め設定される空き容量の閾値は、１００ＧＢ×０．１＝１０ＧＢとなる。
【００７１】
そして、検出された空き容量が閾値以上であると判断した場合は、ＣＰＵ４０は、信号選択部３５が、ハードディスク２８に記録される信号として、ハイビジョン方式の信号を選択するように、信号選択部３５を制御するための制御信号を出力する。そして、信号選択部３５は、ハイビジョン方式の信号を選択し（ステップＳ３４）、番組の記録開始時刻になると、ハードディスク２８へのハイビジョン方式の信号の記録が開始される（ステップＳ３５）。一方、検出された空き容量が閾値より小さいと判断した場合は、ＣＰＵ４０は、信号選択部３５が、ハードディスク２８に記録される信号として、ワンセグ方式の信号を選択するように、信号選択部３５を制御するための制御信号を出力する。そして、信号選択部３５は、ワンセグ方式の信号を選択し（ステップＳ３６）、番組の記録開始時刻になると、ハードディスク２８へのワンセグ方式の信号の記録が開始される（ステップＳ３７）。
【００７２】
例えば、ハードディスク２８の空き容量が２０ＧＢ、閾値が１０ＧＢの場合、空き容量（即ち、２０ＧＢ）は、閾値（即ち、１０ＧＢ）よりも大きいため、ＣＰＵ４０は、空き容量が閾値以上であると判断するとともに、信号選択部３５は、ハイビジョン方式の信号を選択して、ハードディスク２８へのハイビジョン方式の信号の記録が開始されることになる。
【００７３】
一方、ハードディスク２８の空き容量が９ＧＢの場合、空き容量（即ち、９ＧＢ）は、閾値（即ち、１０ＧＢ）よりも小さいため、ＣＰＵ４０は、空き容量が閾値より小さいと判断するとともに、信号選択部３５は、ワンセグ方式の信号を選択して、ハードディスク２８へのワンセグ方式の信号の記録が開始されることになる。
【００７４】
なお、上述のごとく、地上波デジタル放送のワンセグ方式における平均ビットレートの値は、最大で４１６ｋｂｐｓと小さいため、検出された空き容量が閾値よりも小さくなった場合に、直ちにデータ容量の小さいワンセグ方式に切り替えることにより、所定の番組を記録した後のハードディスク２８の空き容量を十分に確保することができる。従って、所定の番組以外に、記録を希望する他の番組がある場合に、所定の番組を記録した後のハードディスク２８の空き容量の不足を回避することができるため、所定の番組と他の番組の双方を記録することが可能になる。
【００７５】
次いで、ＣＰＵ４０は、ハードディスク２８へのトランスポート・ストリームの記録が開始されると、タイマー３６を駆動し、トランスポート・ストリームの記録時間Ｔ１を計測するためのタイマー３６をＯＮの状態に切り替え、トランスポート・ストリームの記録時間Ｔ１の計測が開始される（ステップＳ３８）。
【００７６】
次いで、ＣＰＵ４０は、ハードディスク２８へ記録されている信号が、ハイビジョン方式の信号か否かを判断し（ステップＳ３９）、ハイビジョン方式の信号であると判断した場合は、ＣＰＵ４０は、空き容量検出部３３を制御するための制御信号を出力し、空き容量検出部３３が、残りの空き容量を検出し、検出結果がＣＰＵ４０に入力される（ステップＳ４０）。
【００７７】
次いで、ＣＰＵ４０は、空き容量検出部３３により検出された残りの空き容量と上述の予め設定された空き容量の閾値とを比較（即ち、残りの空き容量が閾値以上か否かを判断）し（ステップＳ４１）、比較結果に基づいて、信号選択部３５が、ハードディスク２８に記録される信号として、ハイビジョン方式の信号とワンセグ方式の信号のいずれか一方を選択するように、信号選択部３５を制御する。
【００７８】
より具体的には、残りの空き容量が閾値以上であると判断した場合は、ＣＰＵ４０は、信号選択部３５が、ハードディスク２８に記録される信号として、ハイビジョン方式の信号を選択した状態を維持するように、信号選択部３５を制御するための制御信号を出力する。そして、信号選択部３５は、ハイビジョン方式の信号を選択した状態を維持し（ステップＳ４２）、ハードディスク２８へのハイビジョン方式の信号の記録が継続される（ステップＳ４３）。
【００７９】
一方、残りの空き容量が残りの閾値より小さいと判断した場合は、ＣＰＵ４０は、信号選択部３５が、ハードディスク２８に記録される信号として、ワンセグ方式の信号を選択するように、信号選択部３５を制御するための制御信号を出力する。そして、信号選択部３５は、ワンセグ方式の信号を選択し（ステップＳ４４）、ハードディスク２８へのワンセグ方式の信号の記録が開始される（ステップＳ４５）。
【００８０】
例えば、ハードディスク２８の残りの空き容量が１２ＧＢ、予め設定された空き容量の閾値が１０ＧＢの場合、残りの空き容量（即ち、１２ＧＢ）は、閾値（即ち、１０ＧＢ）よりも大きいため、ＣＰＵ４０は、残りの空き容量が閾値以上であると判断するとともに、信号選択部３５は、ハイビジョン方式の信号を選択した状態を維持して、ハードディスク２８へのハイビジョン方式の信号の記録が継続されることになる。
【００８１】
一方、ハードディスク２８の残りの空き容量が９ＧＢの場合、残りの空き容量（即ち、３ＧＢ）は、閾値（即ち、１０ＧＢ）よりも小さいため、ＣＰＵ４０は、残りの空き容量が閾値より小さいと判断するとともに、信号選択部３５は、ワンセグ方式の信号を選択して、ハードディスク２８へのワンセグ方式の信号の記録が開始されることになる。
【００８２】
なお、この場合も、検出された空き容量が閾値よりも小さくなった場合に、直ちにデータ容量の小さいワンセグ方式に切り替えることにより、所定の番組を記録した後のハードディスク２８の空き容量を十分に確保することが可能になる。
【００８３】
次いで、ＣＰＵ４０は、タイマー３６により計測されたトランスポート・ストリームの記録時間Ｔ１と番組の放送時間Ｔ２とを比較し、記録時間Ｔ１が放送時間Ｔ２以上か否か（即ち、記録時間Ｔ１が放送時間Ｔ２を越えたか否か）を判断する（ステップＳ４６）。そして、記録時間Ｔ１が、放送時間Ｔ２より小さい（即ち、Ｔ１＜Ｔ２）と判断した場合は、上述のステップＳ４０〜ステップＳ４５の作業が繰り返される。なお、このステップＳ４０〜ステップＳ４５の作業は、予め設定された周期（例えば、５秒周期）で繰り返される。一方、記録時間Ｔ１が放送時間Ｔ２以上（即ち、Ｔ１≧Ｔ２）と判断した場合は、ハードディスク２８へのハイビジョン方式の信号の記録作業が終了する（ステップＳ４７）。
【００８４】
また、ＣＰＵ４０は、上述のステップＳ３９において、ハードディスク２８へ記録されている信号がワンセグ方式の信号であると判断した場合は、ＣＰＵ４０は、信号選択部３５が、ハードディスク２８に記録される信号として、ワンセグ方式の信号を選択した状態を維持するように、信号選択部３５を制御するための制御信号を出力する。そして、信号選択部３５は、ワンセグ方式の信号を選択した状態を維持し（ステップＳ４８）、ハードディスク２８へのワンセグ方式の信号の記録が継続される（ステップＳ４９）。
【００８５】
また、上述のステップＳ４５において、ハードディスク２８へのワンセグ方式の信号の記録が開始された場合も、ハードディスク２８へのワンセグ方式の信号の記録が継続される（ステップＳ４９）。そして、ＣＰＵ４０は、上述のステップＳ４６と同様に、タイマー３６により計測されたトランスポート・ストリームの記録時間Ｔ１と番組の放送時間Ｔ２とを比較し、記録時間Ｔ１が放送時間Ｔ２以上か否か（即ち、記録時間Ｔ１が放送時間Ｔ２を越えたか否か）を判断する（ステップＳ５０）。そして、記録時間Ｔ１が、放送時間Ｔ２より小さい（即ち、Ｔ１＜Ｔ２）と判断した場合は、上述のステップＳ２１の作業が繰り返される。一方、記録時間Ｔ１が放送時間Ｔ２以上（即ち、Ｔ１≧Ｔ２）と判断した場合は、ハードディスク２８へのワンセグ方式の信号の記録作業が終了する（ステップＳ５１）。
【００８６】
なお、記録した番組を再生する際には、上述の第１の実施形態の場合と同様に、ハードディスク２８に記録したトランスポート・ストリームが、ＣＰＵ４０の指示により読み出されて、復号化処理部２１へと出力され、その後、上述した処理が行われる。
【００８７】
以上に説明した本実施形態によれば、以下の効果を得ることができる。
（５）本実施形態のデジタル放送記録方法を使用するデジタル放送記録システム１は、デジタル方式の放送電波に含まれる信号を記録するための記録部であるハードディスク２８と、ハードディスク２８の空き容量を検出する空き容量検出部３３と、予め設定されたハードディスク２８の空き容量の閾値を記憶する記憶部４６と、ハードディスク２８に記録される信号として、ハイビジョン方式の信号、およびワンセグ方式の信号のいずれか一方を選択する信号選択部３５とを備えている。そして、デジタル放送記録システム１は、検出された空き容量と閾値を比較するとともに、比較の結果に基づいて、信号選択部３５に、ハイビジョン方式の信号、およびワンセグ方式の信号のいずれか一方を選択させる制御部であるＣＰＵ４０を備える構成としている。従って、空き容量の大きさに応じて、ハイビジョン方式の信号、およびワンセグ方式の信号のいずれか一方をハードディスク２８に記録することができるため、ハードディスク２８の空き容量が小さい場合であっても、記録ミスを生じることなく、所定の番組の全部をハードディスク２８に記録することが可能になる。
【００８８】
（６）また、所定の番組以外に、記録を希望する他の番組がある場合に、所定の番組を記録後のハードディスク２８の空き容量の不足を回避することができるため、所定の番組と他の番組の双方を記録することが可能になる。
【００８９】
（７）また、ＣＰＵ４０が、検出された空き容量が閾値以上であると判断した場合は、信号選択部３５に、ハイビジョン方式の信号を選択させ、検出された空き容量が閾値より小さいと判断した場合は、信号選択部３５に、ワンセグ方式の信号を選択させる構成としている。従って、検出された空き容量が閾値以上の場合は、所定の番組の全部を、ワンセグ方式の信号が有する第２の帯域幅よりも広い第１の帯域幅を有するハイビジョン方式の信号により記録することができるため、高画質の画像で、所定の番組の全部をハードディスク２８に記録することが可能になる。また、検出された空き容量が閾値より小さい場合は、所定の番組を、ＭＰＥＧ−２方式より圧縮率が高いＭＰＥＧ−４方式で圧縮された第２の映像信号を有するワンセグ方式の信号により記録するため、ハードディスク２８の空き容量が小さい場合であっても、記録ミスを生じることなく、所定の番組の全部をハードディスク２８に記録することが可能になる。
【００９０】
（８）また、ハードディスク２８への信号の記録中に、空き容量検出部３３は、ハードディスク２８の残りの空き容量を検出する構成としている。そして、ＣＰＵ４０は、残りの空き容量と閾値を比較するとともに、比較の結果に基づいて、信号選択部３５に、ハイビジョン方式の信号、およびワンセグ方式の信号のいずれか一方を選択させる構成としている。従って、ハードディスク２８への信号の記録中に、残りの空き容量の大きさに応じて、ハイビジョン方式の信号、およびワンセグ方式の信号のいずれか一方をハードディスク２８に記録することができるため、ハードディスク２８への信号の記録中に、当該ハードディスク２８の残りの空き容量が小さくなった場合であっても、記録ミスを生じることなく、所定の番組の残りの部分をハードディスク２８に記録することが可能になる。
【００９１】
（９）また、ＣＰＵ４０は、残りの空き容量が閾値以上であると判断した場合は、信号選択部３５にハイビジョン方式の信号を選択させ、残りの空き容量が閾値より小さいと判断した場合は、信号選択部３５にワンセグ方式の信号を選択させる構成としている。従って、ハードディスク２８への信号の記録中に、残りの空き容量が閾値容量以上の場合は、所定の番組の残りの部分をワンセグ方式の信号が有する第２の帯域幅よりも広い第１の帯域幅を有するハイビジョン方式の信号により記録することができるため、高画質の画像で、所定の番組の残りの部分をハードディスク２８に記録することが可能になる。また、残りの空き容量が閾値より小さい場合は、所定の番組の残りの部分をＭＰＥＧ−２方式より圧縮率が高いＭＰＥＧ−４方式で圧縮されたワンセグ方式の信号により記録するため、ハードディスク２８への信号の記録中に、ハードディスク２８の残りの空き容量が小さくなった場合であっても、記録ミスを生じることなく、所定の番組の残りの部分をハードディスク２８に記録することが可能になる。
【００９２】
なお、上記実施形態は以下のように変更しても良い。
上記実施形態においては、チューナー部５は、アンテナ４から入力されたデジタル放送信号において、ユーザーが視聴するチャンネルに対応するデジタル放送信号として、ハイビジョン方式の信号とワンセグ方式の信号の双方を選択する構成としたが、当該ハイビジョン方式の信号、またはワンセグ方式の信号のいずれか一方のみを選択する構成としても良い。この場合、例えば、ハイビジョン方式の信号を選択した場合は、当該ハイビジョン方式の信号が、チューナー部５から復調部６へと出力されて、復調、誤り符号訂正を行い、トランスポート・ストリームが生成され、生成したトランスポート・ストリームがデスクランブル処理部７へ出力される。そして、デスクランブル処理部７において、スクランブルが解除され、スクランブルが解除されたトランスポート・ストリームが、暗号化処理部９へと出力されるとともに、当該暗号化処理部９により、所定の方式により暗号化される。暗号化されたトランスポート・ストリームは、汎用のインターフェース１０を介して、パソコン３へと伝送される。
【００９３】
次いで、復号化処理部２１により、暗号化されたトランスポート・ストリームが復号され、復号化されたトランスポート・ストリームがデコード処理部２２へ出力される。次いで、デコード処理部２２が、ハイビジョン方式の信号に対して、デコードを行うとともに、圧縮されたデータを、元の映像データと音声データに伸長する。デコードされたトランスポート・ストリームは、分離部２５に入力され、当該分離部２５において、ユーザーが指定したチャンネルの映像データ、音声データ、番組情報等に分離される。そして、上述のステップＳ１〜ステップＳ２の作業が行われ、チューナーモジュール２により暗号化された、ハイビジョン方式に対応するトランスポート・ストリームが、信号選択部３５に入力される。次いで、上述のステップＳ３〜ステップＳ８の作業が行われて、ハードディスク２８へのハイビジョン方式の信号、またはワンセグ方式の信号の記録が開始される。
【００９４】
なお、ワンセグ方式の信号が選択され、記録される場合は、ＣＰＵ４０は、信号選択部３５が、ハードディスク２８に記録される信号として、ワンセグ方式の信号を選択するように、信号選択部３５を制御するための制御信号を出力するとともに、チューナー部５が、アンテナ４から入力されたデジタル放送信号において、ユーザーが視聴するチャンネルに対応するデジタル放送信号として、ワンセグ方式の信号を選択するように、インターフェースコントローラ２０、およびインターフェース１０を介して、チューナーモジュール２のＣＰＵ１１に制御信号を出力する。そして、チューナー部５は、ＣＰＵ１１の指示に従い、ユーザーが視聴するチャンネルに対応するデジタル放送信号として、ワンセグ方式の信号を選択する。
【００９５】
そして、チューナーモジュール２において、ワンセグ方式の信号に対して、上述の復調、誤り符号訂正、スクランブルの解除、暗号化が行われ、暗号化されたトランスポート・ストリームは、汎用のインターフェース１０を介して、パソコン３へと伝送される。そして、暗号化された、ワンセグ方式に対応するトランスポート・ストリームが、信号選択部３５に入力されるとともに、ハードディスク２８へのワンセグ方式の信号の記録が開始されることになる。
【００９６】
そして、上述のステップＳ９〜ステップ１７の作業が行われて、ハードディスク２８へのハイビジョン方式の信号、またはワンセグ方式の信号の記録が行われる。なお、ステップ１６，１７において、ワンセグ方式の信号が選択され、ハードディスク２８へのワンセグ方式の信号の記録が開始される場合も、ＣＰＵ４０は、信号選択部３５が、ハードディスク２８に記録される信号として、ワンセグ方式の信号を選択するように、信号選択部３５を制御するための制御信号を出力するとともに、チューナー部５が、アンテナ４から入力されたデジタル放送信号において、ユーザーが視聴するチャンネルに対応するデジタル放送信号として、ワンセグ方式の信号を選択するように、チューナーモジュール２のＣＰＵ１１に制御信号を出力する。そして、チューナー部５は、ＣＰＵ１１の指示に従い、ユーザーが視聴するチャンネルに対応するデジタル放送信号として、ワンセグ方式の信号を選択する。そして、チューナーモジュール２において、ワンセグ方式の信号に対して、上述の復調、誤り符号訂正、スクランブルの解除、暗号化が行われ、暗号化されたトランスポート・ストリームは、汎用のインターフェース１０を介して、パソコン３へと伝送される。そして、暗号化された、ワンセグ方式に対応するトランスポート・ストリームが、信号選択部３５に入力されるとともに、ハードディスク２８へのワンセグ方式の信号の記録が開始されることになる。そして、上述のステップＳ１８〜ステップ２３の作業が行われて、ハードディスク２８へのハイビジョン方式の信号、またはワンセグ方式の信号の記録作業が終了する。
【００９７】
また、番組のコマーシャルの間に、ハードディスク２８に記録される信号として、ハイビジョン方式の信号とワンセグ方式の信号のいずれか一方を選択して記録を開始する構成としても良い。より具体的には、例えば、上述の第１の実施形態におけるデジタル放送記録システム１おいて、図９に示すように、パソコン３は、分離部２５およびＣＰＵ４０に接続され、所定の番組のコマーシャルを検出するコマーシャル検出部４８を更に備えている。そして、分離部２５に入力されるトランスポート・ストリームには、上述の映像データ、音声データ、および番組情報とともに、コマーシャル情報が含まれており、分離部２５により、上述の映像データ、音声データ、および番組情報とともに分離されたコマーシャル情報が、コマーシャル検出部４８へ出力される。そして、当該コマーシャル検出部４８が、番組のコマーシャルを検出し、コマーシャルを検出している旨の信号が、コマーシャル検出部４８からＣＰＵ４０に出力される。そして、ＣＰＵ４０は、コマーシャル検出部４８によりコマーシャルが検出されている間に、信号選択部３５に、ハイビジョン方式の信号とワンセグ方式の信号のいずれか一方を選択するように、信号選択部３５を制御する。例えば、ＣＰＵ４０が、空き容量がデータ容量より小さいと判断した場合は、当該ＣＰＵ４０は、信号選択部３５が、ハードディスク２８に記録される信号としてワンセグ方式の信号を選択するように、信号選択部３５を制御するための制御信号を出力する。そして、信号選択部３５は、ワンセグ方式の信号を選択し、番組のコマーシャルの間に、ハードディスク２８へのワンセグ方式の信号の記録が開始される。
【００９８】
このような構成により、ハイビジョン方式の信号とワンセグ方式の信号の一方を選択して、ハードディスク２８に記録される信号を切り替える際に、所定時間（例えば、１０秒程度）を要する場合であっても、コマーシャルが検出されている間に、ハードディスク２８に記録される信号を切り替えるので、ユーザーが記録を希望する番組の記録ミスが生じるという不都合を回避することができる。特に、チューナー部５において、デジタル放送信号として、ハイビジョン方式の信号、またはワンセグ方式の信号のいずれか一方のみを選択する構成においては、ハイビジョン方式の信号とワンセグ方式の信号の双方を選択する構成に比し、ハードディスク２８に記録される信号を切り替える際に、時間を要するが、本構成により、ユーザーが記録を希望する番組の記録ミスが生じるという不都合を効果的に回避することができる。
【００９９】
なお、上述の第２の実施形態におけるデジタル放送記録システム１おいて、上述のコマーシャル検出部４８を更に備える構成とした場合においても、同様の効果を得ることができる。この場合、ＣＰＵ４０が、検出された空き容量が閾値より小さいと判断した場合は、当該ＣＰＵ４０は、信号選択部３５が、ハードディスク２８に記録される信号としてワンセグ方式の信号を選択するように、信号選択部３５を制御するための制御信号を出力する。そして、信号選択部３５は、ワンセグ方式の信号を選択し、番組のコマーシャルの間に、ハードディスク２８へのワンセグ方式の信号の記録が開始される。
【０１００】
また、ハードディスク２８に記録される信号として、ハイビジョン方式の信号、およびワンセグ方式の信号が選択された旨をユーザーに報知する報知部を更に備える構成としても良い。より具体的には、例えば、上述の第１の実施形態におけるデジタル放送記録システム１おいて、図９に示すように、パソコン３は、ＣＰＵ４０に接続された報知部４７を更に備えている。そして、例えば、ＣＰＵ４０が、空き容量がデータ容量より小さいと判断した場合に、信号選択部３５が、ハードディスク２８に記録される信号としてワンセグ方式の信号を選択するように、信号選択部３５を制御するための制御信号を出力するとともに、報知部４７が、ハードディスク２８に記録される信号としてワンセグ方式の信号が選択された旨を報知するように、報知部４７を制御するための制御信号を出力する。そして、報知部４７が、ハードディスク２８に記録される信号としてワンセグ方式の信号が選択された旨を、ユーザーに報知する構成となっている。
【０１０１】
このような構成により、ユーザーが希望する方式（例えば、ハイビジョン方式）とは異なる方式（例えば、ワンセグ方式）により、番組の記録が開始された場合であっても、ユーザーにその旨を報知することが可能になる。
【０１０２】
なお、報知部４７としては、例えば、ＬＥＤや鳴動ブザーを使用することができる。また、報知部として、上述のＬＣＤディスプレイ３１を兼用する構成としても良い。この場合、ＣＰＵ４０は、ＬＣＤディスプレイ３１の画面上にワンセグ方式の信号が選択された旨の表示をするための信号を発生し、当該信号がＧＵＩ処理部２９を介して、映像処理部２６に入力される。そして、映像処理部が、ワンセグ方式の信号が選択された旨をＬＣＤディスプレイ３１の画面上に表示し、ワンセグ方式の信号が選択された旨が報知される。また、上述の第２の実施形態におけるデジタル放送記録システム１おいて、上述の報知部４７を更に備える構成とした場合においても、同様の効果を得ることができる。
【０１０３】
また、上記実施形態においては、ＣＰＵ４０により、ハードディスク２８に記録される信号として、ハイビジョン方式の信号、およびワンセグ方式の信号のいずれか一方を自動的に選択する構成としたが、ハイビジョン方式の信号、およびワンセグ方式の信号を手動で選択する構成としても良い。この場合、ＬＣＤディスプレイ３１上に、ハードディスク２８に記録される信号として、ハイビジョン方式の信号、およびワンセグ方式の信号のいずれか一方を選択するための画面が表示され、ユーザーによるキーボード４１の入力操作により、ハードディスク２８に記録される信号として、ハイビジョン方式の信号、およびワンセグ方式の信号のいずれか一方が手動により選択される。そして、ユーザーが希望する方式の信号で記録を行う旨の指示が、ＣＰＵ４０に入力され、ＣＰＵ４０は、信号選択部３５が、ハードディスク２８に記録される信号として、ユーザーが希望する方式の信号を選択するように、信号選択部３５を制御するための制御信号を出力する。そして、信号選択部３５は、ユーザーが希望する方式の信号を選択し、番組の記録開始時刻になると、ハードディスク２８への信号の記録が開始される。
【０１０４】
また、上記実施形態においては、デジタル放送記録システム１において、デジタル放送受信装置としてのチューナーモジュール２と、当該チューナーモジュール２に接続して使用されるデジタル放送記録装置としての電子機器であるパソコン３とを備える構成としたが、図１０、図１１に示すように、当該チューナーモジュール２をデジタル放送受信部として、デジタル放送記録装置であるパソコン３と一体的に構成しても良い。この場合、インターフェース１０、インターフェースコントローラ２０、およびＣＰＵ１１が不要になり、デジタル放送記録装置の構成が簡素化される。なお、この場合、チューナー部５、復調部６、デスクランブル処理部７、ＩＣカードインターフェース８、および暗号化処理部９の各部の制御は、ＣＰＵ４０により行われることになる。この場合も、上述の効果（１）〜（９）と同様の効果を得ることができる。また、図１０、図１１に示すデジタル放送記録装置であるパソコン３において、上述のコマーシャル検出部４８や報知部４７を備える構成としても良いことは、言うまでもない。
【産業上の利用可能性】
【０１０５】
本発明の活用例としては、受信したデジタル放送信号を記録するデジタル放送記録方法、デジタル放送記録システム及びデジタル放送記録装置に関する。
【図面の簡単な説明】
【０１０６】
【図１】本発明の第１の実施形態に係るデジタル放送記録方法を使用するデジタル放送記録システムの全体構成を示す概略図である。
【図２】ＴＳパケットの説明をするための図である。
【図３】ＴＳヘッダーの説明をするための図である。
【図４】本発明の第１の実施形態に係るデジタル放送記録方法を使用したデジタル放送記録システムにおけるデジタル放送信号の記録手順を示すフローチャートである。
【図５】本発明の第１の実施形態に係るデジタル放送記録方法を使用したデジタル放送記録システムにおけるデジタル放送信号の記録手順を示すフローチャートである。
【図６】本発明の第２の実施形態に係るデジタル放送記録方法を使用するデジタル放送記録システムの全体構成を示す概略図である。
【図７】本発明の第２の実施形態に係るデジタル放送記録方法を使用したデジタル放送記録システムにおけるデジタル放送信号の記録手順を示すフローチャートである。
【図８】本発明の第２の実施形態に係るデジタル放送記録方法を使用したデジタル放送記録システムにおけるデジタル放送信号の記録手順を示すフローチャートである。
【図９】本発明の第１の実施形態に係るデジタル放送記録システムの変形例を示す概略図である。
【図１０】本発明のデジタル放送記録装置を示す概略図である。
【図１１】本発明のデジタル放送記録装置を示す概略図である。
【符号の説明】
【０１０７】
１…デジタル放送記録システム、２…チューナーモジュール（デジタル放送受信装置）、３…パソコン（デジタル放送記録装置）、２０…インターフェースコントローラ、２１…復号化処理部、２２…デコード処理部、２５…分離部、２６…映像処理部、２７…音声処理部、２８…ハードディスク（記録部）、２９…ＧＵＩ処理部、３１…ＬＣＤディスプレイ、３２…スピーカ、３３…空き容量検出部、３４…データ容量算出部、３５…信号選択部、３６…タイマー、４０…ＣＰＵ（制御部）、４１…キーボード、４６…記憶部、４７…報知部、４８…コマーシャル検出部
【図１】
2008300993.tif 000003
【図２】
2008300993.tif 000004
【図３】
2008300993.tif 000005
【図４】
2008300993.tif 000006
【図５】
2008300993.tif 000007
【図６】
2008300993.tif 000008
【図７】
2008300993.tif 000009
【図８】
2008300993.tif 000010
【図９】
2008300993.tif 000011
【図１０】
2008300993.tif 000012
【図１１】
2008300993.tif 000013